(57)【要約】  【課題】前面扉と透明板との隙間からの不正行為をなくすように改善されたパチンコ遊技機を提供する。  【解決手段】外枠１の前面に開閉自在に装着される中枠２と、前記中枠２に設けられる遊技盤３と、前記遊技盤３との間に遊技領域３ａを形成する第一透明板３４及び該第一透明板３４と所定間隔を隔てた第二透明板３８を有する前面扉５とを備えた遊技機であって、前記前面扉５は表枠体３２と裏枠体３５とを備えると共に該裏枠体３５と前記第一透明板３４とを一体に成形した。  【選択図】    図３
2007151699.tif 000002
【特許請求の範囲】
【請求項１】
外枠の前面に開閉自在に装着される中枠と、前記中枠に設けられる遊技盤と、前記遊技盤との間に遊技領域を形成する第一透明板及び該第一透明板と所定間隔を隔てた第二透明板を有する前面扉とを備えたパチンコ遊技機であって、
前記前面扉は表枠体と裏枠体とを備えると共に該裏枠体と前記第一透明板とを一体に成形したことを特徴とするパチンコ遊技機。
【請求項２】
前記表枠体は透光性を有する合成樹脂により成形すると共に、前記表枠体の裏面に装飾部材を配設したことを特徴とする請求項１記載のパチンコ遊技機。
【請求項３】
前記表枠体に前記裏枠体が臨む開口を開設すると共に該裏枠体の裏面に装飾部材を配設したことを特徴とする請求項１記載のパチンコ遊技機。
【請求項４】
前記第二透明板が前記裏枠体及び表枠体によって挟持されていることを特徴とする請求項１乃至３のいずれかに記載のパチンコ遊技機。
【請求項５】
前記表枠体に第二透明板を一体に設けたことを特徴とする請求項１乃至３のいずれかに記載のパチンコ遊技機。
【請求項６】
前記裏枠体及び表枠体に所定の奥行きを有する箱枠を形成し、前記箱枠部を重合することにより前記第一透明板と第二透明板とが所定間隔を隔てた位置となるようにしたことを特徴とする請求項５記載のパチンコ遊技機。
【請求項７】
前記裏枠体に前記前面扉を閉鎖した際に外部からの異物の侵入を防止する不正防止機能を果たす不正防止手段を設けたことを特徴とする請求項１乃至６のいずれかに記載のパチンコ遊技機。
【請求項８】
前記不正防止手段は前記遊技領域を区画形成する区画部材に近接又は嵌合する突条であることを特徴とする請求項７記載のパチンコ遊技機。
【発明の詳細な説明】
【技術分野】
【０００１】
本発明は、中枠の前面に透明板を有する前面扉を開閉自在に備えたパチンコ遊技機に関する。
【背景技術】
【０００２】
従来、パチンコ遊技機は遊技盤の前面に前面扉が中枠に開閉自在に設けられ、前面扉に遊技領域を視認し得る２枚の透明板を取付溝にはめ込んで装着している（例えば、特許文献１参照。）。また、遊技盤の遊技領域には表示装置やこの表示装置の図柄を変動させる始動入賞口，可変部材を可変させて遊技球を受け入れる可変入賞口等が設けられ、障碍釘により流下方向を変化させている。そして障碍釘を熟練した技術により微妙に調整することにより入賞率を調整し、出球を調整している。ところが、手っ取り早く賞球を獲得するために、透明板を持ち上げて隙間からピアノ線等の不正具を差し込んで可変入賞口の開閉板等を開放する等して遊技球を獲得する不正行為が行われることがあり、透明板が持ち上げられないようにする押え片を設けたパチンコ遊技機が提案されている（例えば、特許文献２参照。）。
【０００３】
【特許文献１】特開平８−１４１２０３号公報
【特許文献２】特開平１０−２７７２３０号公報
【発明の開示】
【発明が解決しようとする課題】
【０００４】
しかしながら、押え片を設けても透明板を取付溝に着脱自在としている構造のため透明板と取付溝との間には僅かな隙間が生じることになるので、その隙間から巧みにピアノ線等の不正具を差し込んで、遊技領域に入り込み可変入賞口を操作する等の不正行為が行われていた。また、二枚の透明板を取付溝に嵌め込むことで前面扉の構造が複雑となっていた。
【０００５】
本発明はこのような従来技術の問題点を解消するパチンコ遊技機を提供するものであって、その目的は、前面扉と透明板との隙間からの不正行為をなくすように改善されたパチンコ遊技機を提供することにある。また、前面扉の構造を簡素化したパチンコ遊技機を提供することにある。
【課題を解決するための手段】
【０００６】
本発明の請求項１の発明は、外枠の前面に開閉自在に装着される中枠と、前記中枠に設けられる遊技盤と、前記遊技盤との間に遊技領域を形成する第一透明板及び該第一透明板と所定間隔を隔てた第二透明板を有する前面扉とを備えた遊技機であって、前記前面扉は表枠体と裏枠体とを備えると共に該裏枠体と前記第一透明板とを一体に成形したことを特徴とする。
【０００７】
請求項２記載の発明は、請求項１記載の発明において、前記表枠体は透光性を有する合成樹脂により成形すると共に、前記表枠体の裏面に装飾部材を配設したことを特徴とする。装飾部材を着脱自在とすることで、前面扉のデザイン替えを簡単に行うことができる。
【０００８】
請求項３記載の発明は、請求項１記載の発明において、前記表枠体に前記裏枠体が臨む開口を開設すると共に該裏枠体の裏面に装飾部材を配設したことを特徴とする。表枠体を着色した樹脂により成形することができ、鮮やかな遊技機とすることができると共に、開口から視認できる装飾部材が遊技者に強い印象を与え、均一化される遊技機と差別化することができる。
【０００９】
請求項４記載の発明は、請求項１乃至３のいずれかに記載の発明において、前記第二透明板が前記裏枠体及び表枠体によって挟持されていることを特徴とする。これにより、第二透明板の取着構造を簡素化することができる。
【００１０】
また、裏枠体に所定の奥行きを有する箱枠を形成するのが好ましい。ここでいう「箱枠」とは、所定の奥行き空間を有する枠状のものであり、形状は限定されるものではなく、方形状のもののほかに円形，多角形状のものも含まれる。また、裏枠体に第二透明板の位置決め手段を設けるのが好ましく、前面扉の組立て工程を容易にすることができる。
【００１１】
請求項５記載の発明は、請求項１乃至３のいずれかに記載の発明において、前記表枠体に前記第二透明板を一体に設けたことを特徴とし、前面扉の構成をより簡素化することができる。
【００１２】
請求項６記載の発明は、請求項５記載の発明において、前記裏枠体及び表枠体に所定の奥行きを有する箱枠を形成し、前記箱枠部を重合することにより前記第一透明板と第二透明板とが所定間隔を隔てた位置となるようにした。また、前記箱枠部を同形とするのが好ましく、箱枠部が線又は面接触することにより第一透明板と第二透明板とで形成される空間部が密閉状態となり、空間部に埃又はタバコの煙が入り込むことがないため第一透明板及び第二透明板の空間部側内面が汚れることがなく、掃除等の手間を省くことができる。
【００１３】
請求項７記載の発明は、請求項１乃至６のいずれかに記載の発明において、前記裏枠体に前記前面扉を閉鎖した際に外部からの異物の侵入を防止する不正防止機能を果たす不正防止手段を設けた。不正防止手段は第一透明板に一体に設けるのが好ましい。
【００１４】
請求項８記載の発明は、請求項７記載の発明において、前記不正防止手段は前記遊技領域を区画形成する区画部材に近接又は嵌合する突条であることを特徴とする。ここでいう「近接」とは、区画部材に不正防止手段が接近した状態のほか、区画部材に不正防止手段が接触した状態も含まれる。
【００１５】
また、第一透明板に遊技球の流下経路を変える風車，障碍部材又は遊技領域に位置し可変入賞装置，入賞口等を構成する枠部材を一体に設けるのが好ましい。さらに遊技領域を区画形成する区画部材を一体に設けるようにしてもよい。また、第一透明板に前面側に膨出する凹部を形成し、凹部に可変表示装置等の盤面部品の一部が臨むようにしてもよい。
【発明の効果】
【００１６】
本発明は、前面扉を構成する裏枠体に遊技領域を形成する透明板を一体に設けることによって、前面扉と透明板との隙間をなくし前面扉から遊技領域に入り込む不正行為を防止することができる。また、前面扉の構成を簡素化して組立て工程を容易にすることができる。
【発明を実施するための最良の形態】
【００１７】
本発明のパチンコ遊技機について図面を参照して説明する。図１はパチンコ遊技機の斜視図、図２は遊技盤の正面図である。パチンコ遊技機は、外枠１の前面に中枠２が連結金具を介して片開き自在に設けられ、その前面に前面扉５が正面左側を枢支して開閉自在に設けられている。中枠２及び前面扉５の開放端は鍵部材６により施錠され、鍵部材６の解錠操作により中枠２及び前面扉５が開放されるように構成される。中枠２には略方形状の遊技盤３が支持枠４を介して装着されている。前面扉５の下部には遊技媒体としてパチンコ球が貯留される供給皿を備えた上受皿７が飾り板８を介して開閉自在に設けられ、その上受皿７の下部には上受皿７と連通し、上受皿７の余剰球が貯留される貯留皿と灰皿を備えた下受皿９が設けられている。また、下受皿９の側方には打力を調整する発射ハンドル１０が設けられている。
【００１８】
遊技盤３は、アクリル，ポリカーボネート，ポリエチレン等の透明な合成樹脂により形成され、裏面に貼着されたデザイン画Ｄが前面から視認できるようになっており、特に図４に示すように支持枠４に光源Ｋを遊技盤３の周縁に位置するように設けることにより遊技盤３を効果的に照射して幻想的な演出が可能となる。また、図２に示すように遊技盤３に遊技球が流下する遊技領域３ａを区画形成する区画部材としてのガイドレール１３が略円形に設けられている。ガイドレール１３は内レール１３ａと外レール１３ｂとで構成されると共に透光性を有する合成樹脂により形成され、発射レールからの遊技球を遊技領域３ａに導く外レール１３ｂの内面の所定部位にステンレス板を添設している。そして、この遊技領域３ａのほぼ中央に図柄，数字を変動表示する表示部を備えた可変表示装置１４が設けられ、その下方に可変表示装置１４の表示図柄を変動させる検出器を備えた始動入賞口１５が設けられている。また、始動入賞口１５の下方に多数の遊技球を受け入れる可変入賞装置１６が設けられ、他の遊技領域３ａには一般入賞口１７及び遊技球の流下経路を変える風車１８，障碍部材１９等が設けられ、遊技領域３ａの最下方には入賞口に入賞しなかったパチンコ球が流入するアウト球口２０が穿設されている。この実施例の障碍部材１９は透光性を有する合成樹脂によりピン状に形成され、単体又は取付板に複数の障碍部材１９を一体に設けて遊技盤３に取着するようにしており、従来のような熟練した技術を必要とする釘調整を不要としている。なお、本願は実施例に限定されるものではなく、障碍部材１９を釘として木製の遊技盤に直接打設するようにした構成であってもよい。
【００１９】
遊技盤３に設けられる内レール１３ａ及び外レール１３ｂ、可変表示装置１４等の盤面部品及び障碍部材１９は、アクリル，ポリカーボネート，ポリプロピレン等の透明合成樹脂により形成される円柱形状の取付軸部２１に別途形成した固着部材２２を嵌め込むことで取付けられる。具体的に取付軸部２１は、先端部中央に凹窪２３を形成すると共に先端部が複数（実施例において４本）の切り溝２４により拡開可能となるように分割形成され、内レール１３ａ，外レール１３ｂ及び単体の障碍部材１９の取付軸部２１には係止爪２１ａが形成されている。固着部材２２は、図５（イ）に示すように緩やかな先細の軸状に形成されると共に後面開口した中空状に形成し、この中空内部に発光手段としてのＬＥＤ２５が内装され、周囲に取付軸部２１の切り溝２４に対応する突条２２ａを設けている。なお、切り溝２４及び突条２２ａの数は限定されるものではなく任意に変更可能である。また、固着部材２２の外周にはＬＥＤ２５の端子と導通する導電部２６ａと所定幅の非導電部を介して基板２７に接続する導電部２６ｂが設けられている。一方、取付軸部２１の凹窪２３内には固着部材２２が所定位置まで挿入された時に固着部材２２の非導電部を跨いでＬＥＤ２５の端子側導電部２６ａと他方の導電部２６ｂと接触して導通させる導電処理がメッキ等により施されている。ＬＥＤ２５は基板２７を介して電気的な動作を管理する制御装置に接続され、ＬＥＤ２５を発光させるタイミングや発光時間が制御される。また、内レール１３ａ，外レール１３ｂ及び障碍部材１９の前面側表面と取付軸部２１が設けられる盤面部品等の取付板にはシボ加工等の粗面加工により光拡散処理が施されている。さらに、所定位置の障碍部材１９は軸の周囲に螺旋状の条又はシボ加工を施すと共に透光性を有する三角柱状の弾性樹脂２８を回動自在に装着しており、取付軸部２１を介して遊技者にＬＥＤ２５の光が効果的に視認可能となっている。弾性樹脂２８を無反動樹脂とすることで遊技球が跳ねることがなく、遊技者は遊技球の流下を確かめながら視認することができる。なお、弾性樹脂２８の形状は限定されるものではなく、円形，楕円，多角柱であってもよい。
【００２０】
内レール１３ａ及び外レール１３ｂ、盤面部品及び障碍部材１９の取付けは、遊技盤３に取付軸部２１より僅かに大きく貫通して開設された円柱形の取着孔３０に取付軸部２１を挿入する。このとき、内レール１３ａ，外レール１３ｂ及び単体の障碍部材１９は取付軸部２１の係止爪２１ａが取着孔３０の係止段部３０ａに係止して仮止めされる。そして、遊技盤３の後面側から固着部材２２を取付軸部２１の凹窪２３に押入すると取付軸部２１が拡開して取着孔３０内面に圧接して遊技盤３から外れることのない大きさの摩擦力により軸方向の移動が阻止され、内レール１３ａ及び外レール１３ｂ、盤面部品及び障碍部材１９が遊技盤３に確実に取付けられる。このとき、固着部材２２が所定の位置まで挿入されることによりＬＥＤ２５が導通して点灯可能となる。言い換えれば、固着部材２２が確実に取付軸部２１に挿入されていない場合には、導電部２６ｂが凹窪２３内の導電処理部と接触せずＬＥＤ２５が導通されないため点灯しない。そのため、盤面部品又は障碍部材１９が遊技盤３に確実に固定されていないことを判断することができ、固着部材２２による取付けが取付け不備の報知手段としての機能を果たすことになる。なお、固着部材２２を盤面部品及び障碍部材１９の取付け位置に合わせて予め帯状又は板状の基板２７に配設することで、連続的に取付軸部２１に挿入することができ、取付け作業の効率を高めることができると共に配線を簡素化することができる。
【００２１】
前面扉５は、図１に示すように全体がパチンコ遊技機の上半分程度の大きさでほぼ方形状に形成され、遊技盤３の前面に位置して遊技領域３ａが視認できる開口窓部３１を有している。前面扉５は、図３に示すように遊技者に視認される飾り枠となる表枠体３２と、装飾部材としての図柄意匠を描いた意匠シート３３と、第一透明板３４を備えた裏枠体３５とで大略構成されている。なお、装飾部材はシート状に限定されるものではなく、キャラクター等を立体に形成したものであっても照明手段であってもよい。
【００２２】
表枠体３２は、透光性を有する合成樹脂材（ポリカーボネートやアクリル，ポリエチレン等）により方形状に形成され、図３に示すように飾り枠３２ａのほぼ中央に所定の奥行きを有する短筒状に形成される開口窓部３１を形成すると共に開口窓部３１の上部に膨出部３２ｃが形成されている。また、開口窓部３１の上下両側には円形の開口３６を開設し、下方の開口３６から遊技盤３に設けられる証紙及び意匠シート３３に設けられた文字情報等を符号化した情報付与手段としての光学的情報コードが視認できる。光学的情報コードとは、例えば明（白）又は暗（黒）のセルにて構成されるＱＲコード（登録商標）等の縦、横二方向に情報を持つ二次元コードであり、携帯電話等の端末機によって光学的情報コードを読み取り各種情報を確認することができる。
【００２３】
裏枠体３５は、ポリカーボネートやアクリル，ポリエチレン等の透明な合成樹脂材で形成され、図３に示すように表枠体３２より一回り小さい方形状の板部３５ａに開口窓３１より開口が大径であり所定の奥行きを有する方形箱枠３５ｂを形成すると共に遊技盤３との間に遊技領域３ａを形成する第一透明板３４を一体に設けている。なお、第一透明板３４の遊技盤３側面にシリコン樹脂等のコーティングにより耐磨耗処理を施している。箱枠３５ｂ内には、図４に示すように奥部に位置する第一透明板３４から所定間隔を隔てて第二透明板３８の位置決め手段となる段部３７が形成され、ガラス等の透視性を有する方形状の第二透明板３８が配設される。この第二透明板３８にレーザー加工等により図柄を施すと共に、第二透明板３８の周縁に位置して裏枠体３５の箱枠３５ｂに発光体４５を設け、該発光体４５の照射により図柄を浮かび上がらせて遊技者の興趣を高めるようにしている。また、裏枠体３５には、表枠体３２の膨出部３２ｃに臨む照明表示装置としてＬＥＤランプが設けられると共に上部開口３６に臨んで効果音等を発生させるスピーカ３９が設けられている。ＬＥＤランプは遊技機の装飾性を高めると共に遊技状態の変化に応じて点滅し、そのランプの表示状態に応じて遊技者にゲームの進行状態を知らせるようになっている。なお、実施例において箱枠３５ｂを方形状としたが、形状に限定されるものではなく所定の奥行き空間を有するものであればよく、例えば円形又は多角形であってもよい。
【００２４】
また、裏枠体３５に前面扉５を閉鎖した際に外部からの異物の侵入を防止する不正防止機能を果たす不正防止手段を設けている。具体的には図３及び図４に示すように、裏枠体３５と一体に成形した第一透明板３４に不正防止手段として所定の高さを有する突条のリブ壁４０が遊技領域３ａを囲繞するように周設されている。このリブ壁４０は前面扉５を閉鎖した際に先端が中枠２側の遊技盤３に近接すると共にガイドレール１３に重なるように近接して、リブ壁４０とガイドレール１３間にピアノ線等の不正具が入る隙間がなく、遊技領域３ａを閉塞状態として外部から異物が進入することはない。このように第一透明板３４を裏枠体３５と一体に成形すると共に遊技領域３ａを囲い込むようにリブ壁４０を設けることにより、従来のようにガラス板と前面扉の隙間からピアノ線等の不正具を遊技領域３ａ内へ進入させて行われていた不正行為を確実に防止することができる。また、第一透明板３４に突条のリブ壁４０を設けることにより、第一透明板３４の撓みを防止することもでき、撓みによる遊技領域３ａの視認性，遊技球の流下等の不具合を防止することができる。なお、不正防止手段はこの実施例に限定されるものではなく、図６に示すように第一透明板３４に複数の突条により溝部４０ａを形成し、前面扉５の閉鎖時にガイドレール１３の端部に嵌るようにしてもよい。また、中枠２又は遊技領域３ａの外側領域に設けられる飾り部材等に裏枠体３５に設けた不正防止手段と対となるリブ壁，溝部等の不正防止手段を設け、前面扉５の閉鎖時に互いの不正防止手段が近接，嵌合等互いに連係して外部からの異物の進入を防ぐようにしてもよい。
【００２５】
上記構成の前面扉５は、飾り枠３２ａの裏面に意匠シート３３を配設すると共に裏枠体３５の位置決め段部３７に第二透明板３８を位置させ、表枠体３２と裏枠体３５とで挟持して、ビス等の取付け具又は係止爪等の係止手段を係合させることにより組み立てられる。このとき、裏枠体３５の裏面に不正防止及び補強を兼ねた薄い鉄板を配設するようにしてもよい。なお、第二透明板３８の装着手段は、表枠体３２と裏枠体３５の挟着に限定されるものではなく、裏枠体３５又は表枠体３２に上又は左右方向の差込溝を形成して第二透明板３８を差込溝に装着するようにしてもよい。意匠シート３３（装飾部材）を着脱自在に設けることで、前面扉５のデザイン替えを簡単に行うことができる。
【００２６】
図７に示す前面扉５は、表枠体３２に裏枠体３５が臨む開口４１を開設し該裏枠体３５の裏面空間部にキャラクター等の立体的な装飾部材３３Ａを配設している。裏枠体３５は第一透明板３４と一体に形成されるため、前面側から開口４１を介して装飾部材３３Ａを視認することができる。このような構成とすることにより、表枠体３２を着色した樹脂により成形することができ、鮮やかな遊技機とすることができると共に、開口４１から視認できる装飾部材３３Ａが遊技者に強い印象を与え、均一化される遊技機と差別化することができる。このとき装飾部材を装飾ランプとしてもよい。
【００２７】
図８は前面扉５の他の実施例を示し、前記実施例と異なる点は主に表枠体３２と第二透明板３８とを一体に成形した構成であるため、同じ構成には同一符号を付して説明する。この実施例において表枠体３２に開口窓３１と連通する円筒の箱枠３２ｂを形成しており、その奥端に第二透明板３８を一体に設けている。そして、表枠体３２及び裏枠体３５を重合して第二透明板３８を段部３７に当接することにより、第一透明板３４と第二透明板３８とが所定間隔を隔てた位置となるように設定している。このように、第一透明板３４と第二透明板３８をそれぞれ裏枠体３５と表枠体３２とに一体に設けることにより、表枠体３２及び裏枠体３５を重合するだけで前面扉５を簡単に組み立てることができ、組立作業を簡素化することができる。
【００２８】
また、図９に示すように表枠体３２及び裏枠体３５の箱枠３２ｂ，３５ｂを同一形状とすると共にそれぞれ開放側が拡開する緩やかな傾斜に形成し、箱枠３２ｂ，３５ｂを重合させることで表枠体３２の箱枠部が裏枠体３５の箱枠３５ｂ内面に線又は面接触により密着し、第一透明板３４と第二透明板３８とが所定間隔を隔てた位置となるように構成している。このとき表枠体３２の箱枠３２ｂの先端外径は裏枠体３５の箱枠３５ｂの開放側内径をより小径にすると共に裏枠体３５の箱枠３５ｂの奥側内径より大径に設定すれば第一透明板３４と第二透明板３８とが所定間隔を隔てた位置となる。さらに、箱枠３２ｂ，３５ｂの傾斜角を同一とすることで、より面接触で密着させることができる。上記構成により、表枠体３２及び裏枠体３５の箱枠３２ｂ，３５ｂを重合させることで第一透明板３４と第二透明板３８とが所定間隔を隔てた位置で表枠体３２の箱枠部が裏枠体３５の箱枠３５ｂ内面に密着した状態で組み立てられる。このように、表枠体３２の箱枠３２ｂと裏枠体３５の箱枠３５ｂとが線又は面接触により密着することにより、第一透明板３４と第二透明板３８とで形成される空間が密封状態となるため、この空間内にタバコの煙や埃が入り込んで内面を汚すことがないので、従来のように透明板を外して掃除をすることがない。
【００２９】
また、本願は遊技領域３ａを形成する第一透明板３４を裏枠体３５に一体に設ける構成としたので、図１０に示すように第一透明板３４に遊技球の流下経路を変える風車１８，障碍部材１９を一体に設けたり遊技領域３ａを区画形成する区画部材１３を一体に設けたりするようにしてもよい。可変表示装置，入賞口等の盤面部品を構成する枠部材を一体に設けることも可能である。このとき、障碍部材１９は第一透明板３４と一体に成形してもよいが、第一透明板３４の前面に穿設した障碍部材１９の取付孔に障碍部材１９の基部を嵌挿して超音波振動させることによって、取付孔周囲の樹脂部分を溶融させて障碍部材１９の基部に接着させて簡単に固着することができる。さらに、第一透明板３４の一部を遊技盤３側に膨出する突出部１９ａを形成して遊技球の流下経路を変える障碍部材１９の役割を果たすようにしてもよい。また、第一透明板３４に前面側に膨出する凹部３４ａを形成し、凹部３４ａに可変表示装置１４等の盤面部品の一部が臨むようにしてインパクトのある遊技機とすることができる。さらに、凹部３４ａ内を遊技球が通過する領域としてもよく、遊技球が三次元的な動きとなるため斬新な遊技構成とすることができる。
【図面の簡単な説明】
【００３０】
【図１】パチンコ遊技機の斜視図である。
【図２】遊技盤の正面図である。
【図３】前面扉の分解斜視図である。
【図４】パチンコ遊技機の要部平断面図である。
【図５】（イ）は固着部材の斜視図であり、（ロ）は取付軸部の要部断面図である。
【図６】前面扉の他の実施例を示す要部断面図である。
【図７】さらに前面扉の他の実施例を示す要部断面図である。
【図８】さらに前面扉の他の実施例を示す要部断面図である。
【図９】さらに前面扉の他の実施例を示す要部断面図である。
【図１０】第一透明板の他の実施例を示す要部断面図である。
【符号の説明】
【００３１】
１                外枠
２                中枠
３                遊技盤
３ａ              遊技領域
５                前面扉
１３              ガイドレール（区画部材）
３２              表枠体
３２ｂ            箱枠
３３，３３Ａ      装飾部材
３４              第一透明板
３５              裏枠体
３５ｂ            箱枠
３８              第二透明板
４０              リブ壁（不正防止手段）
４１              開口
【図１】
2007151699.tif 000003
【図２】
2007151699.tif 000004
【図３】
2007151699.tif 000005
【図４】
2007151699.tif 000006
【図５】
2007151699.tif 000007
【図６】
2007151699.tif 000008
【図７】
2007151699.tif 000009
【図８】
2007151699.tif 000010
【図９】
2007151699.tif 000011
【図１０】
2007151699.tif 000012